Podtech/llm-jp-corpus-v4-ja_patent huggingface dataset:
(57)【要約】【課題】  容器の形に合わせて形状を自由に適応変化させることができ、且つ、衛生上・健康上の安全性にも安心できる漬物用重石を提供する。【解決手段】  伸縮性のある袋で細粒物を包み、柔軟性を利用して容器の形状に合わせ、自在に形を変化させる事の容易な漬物用重石。【選択図】図１
2011142899.tif 000002
【特許請求の範囲】
【請求項１】
非常な高熱低温に強く、無臭無害で、柔軟性に富むシリコーンゴムのような素材で袋状を形成し、その中に重みのある細粒物（砂や小石、それに準ずる人工物等）を包み込んで封入し、重石本体を形成し、重石本体の上部中央に取っ手を設けたことを特徴とする漬物用重石。
【発明の詳細な説明】
【技術分野】
【０００１】  本発明は、容器の様々な形に自在に適応して形状が変化でき、且つ衛生的にも安全な漬物用重石に関するものである。
【背景技術】
【０００２】  従来の漬物用重石は丸型・角型の固形のものが殆どで、容器の形に合わせて重石を選ぶ必要があり、胴体部より入り口が狭い容器にはお手上げだった。また、重さの調節はできても、形状の適応性の無いもの（特許文献１参照）や、形状の変化はできるが、あくまでも一定の容器の構成部品としてのもの（特許文献２参照）もあった。
【特許文献１】  特許公開２００４−２２２６４８号公報
【特許文献２】  実用新案公開平６−３３４８２号公報
【発明の開示】
【発明が解決しようとする課題】
【０００３】  そのために、次のような問題点があった。
（イ）従来の重石は、丸型・角型の固形のものが殆どであり、重石の大きさに合わせて容器を選ぶか、又は容器にあわせて重石を選ぶ必要があった。
（ロ）容器の入り口が胴体部より狭い場合は、別に重石以外の方法で漬けることを考えねばならなかった。
（ハ）家庭での漬物作りにおいては、作る量はある程度一定なので、一種類の重石でいろんな容器を利用できないと不便である。
（ニ）漬物は材料から染み出て上に上がって来る汁の問題があるので、従来品に多い鉄やアルミ製、あるいはそれらとプラスチック材との組み合わせから成る重石は、衛生上・健康上の安全性から見て、大いに問題がある。
本発明は以上の問題点を解決するためになされたものである。
【課題を解決するための手段】
【０００４】  非常な高熱低温に強く、無臭無害で、柔軟性に富むシリコーンゴムのような素材で袋状を形成し、その中に重みのある細粒物（砂や小石、それに準ずる人工物等）を包み込んで封入し、重石本体を形成する。重石本体の上部中央に取っ手を設ける。
以上を特徴とする漬物用重石である。
【発明の効果】
【０００５】  （イ）固形と違って、自由自在に適応変形するので、目下使っていない好みの容器を形状に関係なく漬物容器に利用できる。
（ロ）容器の入り口が胴体部より狭いものでも、重石を自由に容器の中に押し込み、また取り出すことが簡単にできる。但し、この場合、重石の内容物が水のような凍結するものであったら、厳寒時には取り出しに支障が生じるのだが、本発明では重みのある細粒物なので、その心配も無い。
（ハ）重石本体はシリコーンゴムのような素材から形成された袋状なので、高熱に強いだけでなく、零下数十度の低温下でも柔軟性が保持されるため、袋状に封入された内容物が凍結するものでない限り、厳寒時でも支障なくどんな形状の容器にも使用できる。
（ニ）また、重石本体を形成している素材の性質によって、重石が漬物材や汁と直接触れても、衛生上・健康上の安全性について全く心配が無い。
（ホ）漬物を取り出す際に、重石本体上部中央に取っ手を設けてあるので、漬物や汁に直接手が触れないように重石を取りよけることができる。
【発明を実施するための最良の形態】
【０００６】  以下、本発明の実施の形態について説明する。
（イ）非常な高熱低温に強く、無臭無害で、柔軟性に富むシリコーンゴムのような素材で袋状を形成し、その中に重みのある細粒物（３）を包み込んで封入し、重石本体（１）を形成する。
（ロ）重石本体（１）の上部中央に取っ手（２）を設ける。
本発明は、以上のような構成で、これを実際に使用する時は、漬物用重石（６）の取っ手（２）を手に持ち、漬物材（４）を仕込んである漬物容器（５）の容器入り口（７）から、重石本体（１）を押し込む。袋状の重石本体（１）の中に封入されている重みのある細粒物（３）は、お互いに押し合いへし合いながら、漬物容器（５）の形状に適応して、袋を自由自在に変形させ、隙間無く漬物容器（５）内に広がり、下の漬物材（４）全体に均等に漬物用重石（６）の重量がかかる。食べごろになったら、取っ手（２）を持って漬物用重石（６）を取りよけて、漬け上がった漬物材（４）を取り出せばよい。どんな厳寒時にも、重石本体（１）の袋状は柔軟性を失うことがないので、容器入り口（７）がたとえ胴体部より狭い場合でも、全く支障なく簡便に使用する事ができる。
【図面の簡単な説明】
【０００７】
【図１】本発明の構造を表す想像斜視図
【図２】本発明の使用例を示す斜視図
【符号の説明】
【０００８】  １  重石本体
２  取っ手
３  細粒物
４  漬物材
５  漬物容器
６  漬物用重石
７  容器入り口
【図１】
2011142899.tif 000003
【図２】
2011142899.tif 000004
(57)【要約】【課題】本発明は、太陽光発電素子に集光素子を介して太陽光を集光させて起電する太陽光発電ユニットに関し、太陽光発電ユニットの生産性を高めることを目的とする。【解決手段】この目的を達成するために本発明は、太陽光発電素子２と、この太陽光発電素子２に集光素子１を介して太陽光を集光させ太陽光発電ユニットにおいて、集光素子１として平凸レンズを用い、平凸レンズの平面に太陽光発電素子２を取り付ける構造としたものである。【選択図】図１
2011142118.tif 000002
【特許請求の範囲】
【請求項１】
太陽光発電素子と、この太陽光発電素子に太陽光を集光させる集光素子を備え、前記集光素子は集光側端面が平面である平凸レンズであり、前記平面に前記太陽光発電素子を取り付けたことを特徴とする太陽光発電ユニット。
【請求項２】
集光素子の焦点位置を太陽光発電素子より外側としたことを特徴とする請求項１に記載の太陽光発電ユニット。
【請求項３】
集光素子の凸面を非球面形状としたことを特徴とする請求項２に記載の太陽光発電ユニット。
【請求項４】
複数の集光素子を一体化した集光素子アレイ構造とし、前記各集光素子に対して太陽光発電素子を取り付けたことを特徴とする請求項１に記載の太陽光発電ユニット。
【発明の詳細な説明】
【技術分野】
【０００１】
本発明は、太陽光発電素子に集光素子を介して太陽光を集光させて起電する太陽光発電ユニットに関する。
【背景技術】
【０００２】
一般にこの種の太陽光発電ユニットは、小型で発電効率の高い太陽光発電素子に対して太陽光を効率よく照射するため太陽光発電素子の受光面側に数百倍の倍率を有する集光素子を配置する構成が知られている。
【０００３】
従来、このような太陽光発電ユニットにおいては、太陽光発電素子と集光素子をそれぞれ所定の実装位置に個別に取り付けていた。
【０００４】
なお、この出願の発明に関連する先行技術文献情報としては、例えば、特許文献１が知られている。
【先行技術文献】
【特許文献】
【０００５】
【特許文献１】特開２００６−６４２０３号公報
【発明の概要】
【発明が解決しようとする課題】
【０００６】
しかしながら、集光素子の倍率が大きいことから太陽光発電素子の受光面に対する集光素子の組み付けバラツキが太陽光発電素子の発電効率に大きく影響を及ぼしてしまうため、この組み付け作業が非常に精度を要することから生産性を向上させることが困難であった。
【０００７】
そこで、本発明はこのような課題を解決し、太陽光発電ユニットの生産性向上を目的とする。
【課題を解決するための手段】
【０００８】
そして、この目的を達成するために本発明は、太陽光発電素子と、この太陽光発電素子に集光素子を介して太陽光を集光させ太陽光発電ユニットにおいて、集光素子として平凸レンズを用い、平凸レンズの平面に太陽光発電素子を取り付ける構造としたのである。
【発明の効果】
【０００９】
これにより本発明は、太陽光発電ユニットの生産性を向上させることが出来るのである。
【図面の簡単な説明】
【００１０】
【図１】本発明の一実施形態の太陽光発電ユニットを示す模式図
【図２】同太陽光発電ユニットを形成する太陽光発電素子の受光面における光強度分布を示す図
【図３】他の太陽光発電ユニットを示す模式図
【発明を実施するための形態】
【００１１】
以下、本発明の一実施形態について図を用いて説明する。
【００１２】
図１は集光素子１を介して太陽光を太陽光発電素子２の受光面２ａに受光させ起電する太陽光発電ユニットを示したもので、発電効率が高く受光面積が小さい太陽光発電素子２を用いるため受光面２ａの前方に倍率が１００倍程度の集光素子１を配置している。より具体的には集光素子１の有効径Ｄが７ｍｍに対して受光面２ａの外接円径ｄが０．７ｍｍとしている。
【００１３】
また、この太陽光発電ユニットに用いる集光素子１は、光源側が凸面１ａで集光側が平面１ｂである平凸レンズを採用するとともに、この集光素子１の平面１ｂに太陽光発電素子２を取り付けた構造とすることで太陽光発電ユニットの生産性を高めた構造としているのである。
【００１４】
すなわち、太陽光発電素子２を集光素子１に直接取り付ける構造とすることで、集光素子１の平面１ｂが太陽光発電素子２の実装基準面となることから、光路中における太陽光発電素子２と集光素子１の位置精度が上述した従来の個別取り付け構造に比べ格段に向上でき、結果としてこれらの組立て作業が容易となり太陽光発電ユニットの生産性が高められるのである。
【００１５】
また、この集光素子１の焦点Ｐの位置を太陽光発電素子２の受光面２ａよりも外側に設定したことで、受光面２ａに集光される光束の径を受光面２ａの径ｄに一致させ太陽光発電ユニットの光電変換効率を高めることができる。
【００１６】
なお、平凸レンズの凸面１ａを球面設計した場合、凸面１ａの開口数を大きくすると受光面２ａと焦点Ｐ‘との間隔が小さくなるため図２の破線３で示すようにその光強度分布が受光面２ａの中央部分に集中してしまう。また凸面１ａの開口数を小さくすると受光面２ａと焦点Ｐ“との間隔が大きくなるため図２の破線４で示すようにその光強度分布が受光面２ａの外周部分に集中してしまい、受光面２ａの全体において均一な光強度分布を得ることができず、結果的に太陽光発電素子２のもつ光電変換効率を十分に引き出すことが出来ない。
【００１７】
そこで、この凸面１ａのレンズ設計を非球面設計とすることで、非球面を定義する非球面係数の調節により受光面２ａにおける光強度分布を調節でき、その結果、図２の実線５で示すような受光面２ａにおける光強度分布を均一なものとし太陽光発電素子２のもつ光電変換効率を十分に引き出すことが出来るものである。
【００１８】
また、平凸レンズの凸面１ａを非球面形状とすることでより精度良く光強度分布を均一にすることができる。
【００１９】
なお、このような太陽光発電ユニットは、１００ｍｍ×１００ｍｍの枠内に約２００個の太陽光発電素子２を整列させるというように複数の太陽光発電素子２を用いた集合体であり、このような集合体を作成する上で太陽光発電素子２と集光素子１を一体化したものを個別に作成し組み合わせる構造とすると非常に手間の掛かるものとなることから、複数の集光素子１を一体化したアレイ構造を採用することで太陽光発電素子２の実装が容易にでき、また集光素子１が平凸レンズ形状であることからアレイ構造とした場合にも光学硝材を用いた加熱プレス成形が可能なものである。
【産業上の利用可能性】
【００２０】
本発明は太陽光発電ユニットの生産性が高められるものであり、主として光電変換効率の高い高性能太陽光発電素子を用いる太陽光発電ユニットにおいて有用となる。
【符号の説明】
【００２１】
１  集光素子
１ａ  凸面
１ｂ  平面
２  太陽光発電素子
Ｐ’，Ｐ”  焦点
【図１】
2011142118.tif 000003
【図２】
2011142118.tif 000004
【図３】
2011142118.tif 000005
(57)【要約】【課題】電子端末を使用するとき、電子端末を持つ手の代わりをするハンドフリー電子端末ホルダーを提供する。【解決手段】電子端末を電子端末掛に取り付け位置と角度を調整する電子端末とりつけ具、電子端末の位置と向きを調節する電子端末掛、電子端末掛を支える支柱および支柱を支える支柱固定具で構成され、電子端末を手で持たずに、座って、横たわって、あるいは仰向けで、使用できることを特徴とするハンドフリー電子端末ホルダー。【選択図】図１
2011248313.tif 000002
【特許請求の範囲】
【請求項１】
電子端末を電子端末掛に取り付け位置と角度を調整する電子端末とりつけ具、電子端末の位置と向きを調節する電子端末掛、電子端末掛を支える支柱および支柱を支える支柱固定具で構成され、電子端末を手で持たずに、座って、横たわって、あるいは仰向けの姿勢で、使用できることを特徴とするハンドフリー電子端末ホルダー。
【請求項２】
支柱固定具を三脚にした請求項１のハンドフリー電子端末ホルダー。
【請求項３】
支柱固定具をプレートにした請求項１のハンドフリー電子端末ホルダー。
【発明の詳細な説明】
【技術分野】
【０００１】  本発明は、電子端末を使用するとき、電子端末を持つ手の代わりをするハンドフリー電子端末ホルダーに関するものである。
【背景技術】
【０００２】  机上以外の場所で、電子書籍を読む時など電子端末を比較的長時間使用すると、電子端末を持つ手、腕が疲労する。特に、ソファに寝ころんだり、畳やベッドの上で仰向けの姿勢で使用する時は手、腕が疲労しやすい。また、画面が大きい電子端末は、文字が大きく操作が簡単で、高齢者にも適しているが、机上以外の場所でくつろいだ姿勢で使用すると女性や高齢者には手、腕への負担が少なくない。
【発明の開示】
【発明が解決しようとする課題】
【０００３】  そのため、本や雑誌を読む時のように、ソファに座ったり寝ころんだり、ベッドで仰向けになったり、くつろいだ姿勢で、電子書籍などがコンテンツの比較的大きいサイズの電子端末を長時間使用するのは、電子端末を持つ手、腕が疲労するため、特に女性や高齢者には不向きである。
本発明は以上の問題点を解決しようとするものである。
【課題を解決するための手段】
【０００４】  高さを調節できる支柱は、支柱固定具に取り付け、支柱の上部に設けた貫通する貫通穴に直線部と湾曲部からなる電子端末掛の直線部の端を通し可動ネジで固定する。電子端末を電子端末掛に取り付ける電子端末とりつけ具は、正面の上下左右に電子端末を掴む鉤を設け、裏面の中央部には電子端末掛に通す可動ネジ付きリングを設ける。支柱の高さ、電子端末掛の支柱との角度と湾曲部の直線部を軸にする上下回転角度、電子端末とりつけ具の電子端末掛上の位置と角度の調整により、電子端末画面を見る人の姿勢に応じて、見やすい位置、角度に設定でき、電子端末を手で持たずに使用できる。
【発明の効果】
【０００５】  本発明は、電子端末で電子書籍などを机から離れてくつろいだ姿勢で読むとき、手や腕の疲労から開放してくれる。またソファやベッドで寝ころがったり、仰向けになった姿勢でも、手や腕に負担をかけずに電子端末で電子書籍などを長時間読むことができる。
【発明を実施するための最良の形態】
【０００６】  以下本発明の実施の形態を説明する。
（イ）  パイプＩ（２）のー端の近くにネジ穴Ｉ（３）を設け、可動ネジＩ（４）を付ける。パイプＩＩ（５）は、パイプＩ（２）より長く、パイプＩ（２）に挿入でき、挿入したときパイプ間隙に緩みのない外径で、ー端の近くに電子端末掛（６）を通す貫通穴（７）およびそれと直角の位置にネジ穴ＩＩ（８）を設け、可動ネジＩＩ（９）を付ける。パイプＩ（２）のネジ穴Ｉ（３）がある方にパイプＩＩ（５）のネジ穴ＩＩ（８）がない方を挿入し、可動ネジＩ（４）で固定し、支柱（１）にする。
（ロ）  支柱固定具（１０）は、水を入れるキャップ付き容器（１１）２個が入る大きさで蓋（１２）で覆い、持ち運びハンドル（１３）、支柱支えＩ（１４）および支柱支えＩＩ（１５）をつける。支柱支えＩ（１４）にはネジ穴ＩＩＩ（１６）を設け、可動ネジＩＩＩ（１７）を付ける。支柱（１）を支柱固定具（１０）に支柱支えＩ（１４）、支柱支えＩＩ（１５）および可動ネジＩＩＩ（１７）で固定する。
（ハ）  電子端末掛（６）は、直線部（１８）と湾曲部（１９）からなり、直線部（１８）の端を支柱（１）の貫通穴（７）に挿入し、可動ネジＩＩ（９）で支柱（１）に固定する。
（ニ）  電子端末（２０）を電子端末掛（６）に取り付ける電子端末とりつけ具（２１）は、正面の上下左右に電子端末（２０）を掴む合計８の鉤（２２）および裏面の電子端末掛（６）に通す電子端末掛リング（２３）で構成され、電子端末掛リング（２３）にはネジ穴ＩＶ（２４）を設け、可動ネジＩＶ（２５）を付ける。電子端末とりつけ具（２１）は、電子端末掛リング（２３）を電子端末掛（６）に通し電子端末掛（６）上の適切な位置と角度に調節して可動ネジＩＶ（２５）で固定する。
本発明は以上の構成になっている。
本発明を使用するときは、規定量の水の入ったキャップ付き容器（１１）を支柱固定具（１０）に入れ、支柱（１）を支柱支えＩ（１４）、支柱支えＩＩ（１５）および可動ネジＩＩＩ（１７）で支柱固定具（１０）に固定し、パイプＩＩ（５）を動かし、支柱（１）の高さを決め可動ネジＩ（４）で固定する。次に、電子端末掛（６）を支柱（１）に対する角度と直線部（１８）を軸にした湾曲部（１９）の上下回転で角度を決め、可動ネジＩＩ（９）で固定する。最後に、電子端末とりつけ具（２１）の電子端末掛（６）上の位置と角度を調整し、可動ネジＩＶ（２５）で固定する。電子端末（２０）使用中に体位や頭の向きを変えるときは、可動ネジＩＩ（１４）と可動ネジＩＶ（２５）を緩めて、見やすい位置、角度に調整する。
【図面の簡単な説明】
【０００７】
【図１】本発明の斜視図
【図２】本発明の支柱の断面図
【図３】本発明の支柱固定具の透視図
【図４】本発明の電子端末掛の斜視図
【図５】本発明の電子端末とりつけ具の正面図
【図６】本発明の電子端末とりつけ具の裏面図
【図７】本発明の電子端末とりつけ具の側面図
【符号の説明】
【０００８】    １    支柱
２    パイプＩ
３    ネジ穴Ｉ
４    可動ネジＩ
５    パイプＩＩ
６    電子端末掛
７    貫通穴
８    ネジ穴ＩＩ
９    可動ネジＩＩ
１０  支柱固定具
１１  キャップ付き容器
１２  蓋
１３  持ち運びハンドル
１４  支柱支えＩ
１５  支柱支えＩＩ
１６  ネジ穴ＩＩＩ
１７  可動ネジＩＩＩ
１８  直線部
１９  湾曲部
２０  電子端末
２１  電子端末とりつけ具
２２  鉤
２３  電子端末掛リング
２４  ネジ穴ＩＶ
２５  可動ネジＩＶ
【図１】
2011248313.tif 000003
【図２】
2011248313.tif 000004
【図３】
2011248313.tif 000005
【図４】
2011248313.tif 000006
【図５】
2011248313.tif 000007
【図６】
2011248313.tif 000008
【図７】
2011248313.tif 000009
(57)【要約】      （修正有）【課題】トラックでの移動型広告において、映写機による表示をしながらの走行時間を大幅に延長でき、映写機による表示を安定して出来る広告装置を提供する。【解決手段】トラック荷台部分に、発電機５を設置し、映写機１に安定した電力供給を行う。荷台部分にクーラー６を設置し、冷風ダクトを設置し、映写機に冷風を送り、映写機を冷風により熱対策を行う。【選択図】図１
2011248315.tif 000002
【特許請求の範囲】
【請求項１】
既存のトラック荷台部分に、発電機・クーラーを設置・クーラー送風口に専用ダクトを取り付け、クーラーからダクトを用いて映写機に冷風を送り、熱対策をした上での、映写機による広告主の動画・静止画を切り替え表示することとする。
【発明の詳細な説明】
【技術分野】
【０００１】この発明はトラックでの移動型広告に関するものである。
【背景技術】
【０００２】従来のトラックの荷台を利用した広告は、図５に示すように既存のトラックの荷台に内照式装置を設置し、広告主の広告を専用シートに印刷し貼り付けて走行している物である。【０００３】
【先行技術文献１】
特開２００６−２３６０３
【発明の概要】
【発明が解決しようとする課題】
【０００４】先行技術文献の技術によれば、普通乗用車であれば動画等を映写して走行出来るが、トラックの荷台に映写機を載せて走行すると、映写機自体に動作保障外の温度まで機器本体が熱を持ち、安全性の為、強制的に映写機等本体の電源が切れてしまい、実際には静止画・動画を荷台の広告として表示し走らせる事は不可能であった。
また、電気の供給問題があり、バッテリーからの電源供給だと電力が安定せず、映写機自体の動作が不安定になり、アクセルを開けると正常に表示する。
アイドリングになると映像表示が途切れてしまったりするなどの問題点がある。【０００５】そこでこの発明は、映写機による表示をしながらの走行時間を大幅に延長し、最大７時間は走れるようになった。また安定した電力供給が出来るようになり、映写機による表示を安定して出来るようになった。
【課題を解決するための手段】
【０００６】上記の課題を解決するために、第一発明は、トラック荷台に発電機図面１−▲５▼を積載し、各映写機に安定した電源供給を行い図面４−▲９▼、動画・静止画が電気不足により途切れたりする事がなくなった。第二発明は、荷台に直接クーラーを設置し図面１−▲６▼、送風口に自社開発専用ダクトを取り付け、各映写機までダクトを引き伸ばし図面３−▲８▼、熱を持つ部分に直接クーラーの冷風を当て、熱を発散することにより、映写機の使用温度を規定範囲内に保つ事が出来るようになった。
【発明の効果】
【０００７】実際にはトラック荷台広告では映写機による動画・静止画の表示は不可能であったが、この発明により画像や音声のデジタルデータ情報（ＣＤ、ＤＶＤなど）を、電子情報処理機器を通して映写機から荷台広告面に動画・静止画として投射する事が現実に可能となった。
【図面の簡単な説明】
【図１】設置機器に番号振り付けの平面図である。
【図２】情報処理装置により、各映写機への動画・静止画伝達平面図ある。
【図３】荷台に設置したクーラーより専用ダクトを用いて各映写機へ冷風を送り熱対策をする平面図である。
【図４】荷台に設置した発電機により各映写機へ安定した電力を供給する平面図である
【図５】従来のトラックの荷台広告サンプルイメージ
【発明を実施するための形態】
【０００８】この発明の一実形態を、図１に示す。
荷台に設置した発電機図面１−▲５▼により各映写機に安定した電力供給を行う。
また、荷台に映写機冷却専用クーラー図面１−▲６▼と専用ダクト図面３−▲８▼を設置することにより、トラック荷台での映写機による動画・静止画等の表示を可能とする。
【実施形態の効果】
【０００９】この実施形態によれば、走行時に荷台に設置した広告主の広告が従来なら１面に対し１広告しか視認できなかったのが、今回の発明により広告を切り替え表示し、視認できる広告枚数が無限大になる。
【図１】
2011248315.tif 000003
【図２】
2011248315.tif 000004
【図３】
2011248315.tif 000005
【図４】
2011248315.tif 000006
【図５】
2011248315.tif 000007
(57)【要約】【課題】  自動車の運転は、ブレーキペダルとアクセルペダルを片足で巧みに操作しなければならない、運転未熟者及び高齢者など運動性が鈍くなった者には、難しい物である、又駐車中サイドブレーキのかけ忘れで自動車が暴走する事がある。【解決手段】  自動車１ペダル装置は、１個のペダルでアクセルとブレーキ操作するもので、足を離し開放状態をフルブレーキとして、ペダルを踏み込んで行くことでブレーキが解除され、アクセル操作でエンジン又はモーターの回転数を上げて行く、アクセルの上限を越えて踏み込み操作すれば再度ブレーキ操作に成り、ペダルなお踏み込み限界でフルブレーキとなる、此の自動車１ペダル装置はペダルの踏み違え、運転の容易による安全性の向上又サイドブレーキかけ忘れでの暴走を無くすものである。【選択図】図２
2011248657.tif 000002
【特許請求の範囲】
【請求項１】
ブレーキペダルとアクセルペダルを一体化して１個のペダルでアクセル機能とブレーキ機能を持たせる自動車１ペダル装置。
【請求項２】
前記述に於いてペダル開放でフルブレーキになり、ペダルを踏み込んで行くと徐々にブレーキを開放しアクセル機能に移行して行く、アクセル機能は従来と同様で踏み込むことでエンジン又はモーターの回転数を上げる機能を持たせて、さらに踏み込み一定のトルク以上越えれば再度ブレーキ域に入り、徐々にブレーキが働き最終にはフルブレーキとなる機能の自動車１ペダル装置。
【請求項３】
請求項目１に於いてペダル開放でフルブレーキになり、ペダルを踏み込んで行くと徐々にブレーキを開放しアクセル機能に移行して行く、アクセル機能は従来と同様で踏み込むことでエンジン又はモーターの回転数を上げる機能を持たせる自動車１ペダル装置。
【請求項４】
請求項２及び３に於いてペダルを踏み込み機能ではブレーキ機能とアクセル機能の間に当たり（抵抗感）設け少しの不干渉帯の機能を持たせた自動車１ペダル装置。
【請求項５】
前供述に於いてペダル最深部でアクセル機能を停止して踏み込み開始のブレーキ域に到達するまでアクセル機能を停止する機能の自動車１ペダル装置。
【発明の詳細な説明】
【技術分野】
【０００１】
本発明は、自動車のブレーキとアクセルペダルを一体化し、運転の安全性の向上と運転の安易性を図る自動車の１ペダル操作。
【背景技術】
【０００２】
従来自動車は、ブレーキとアクセルペダルで２個以上のペダルがある、近年ペダルの操作ミスによる死亡事故が多発しているが、ペダルを１個にすれば踏み間違え事故は１００％無くなるだろう、又運転中も少ない足の操作で運転出来てペダル操作も容易になる。
【先行技術文献】
【特許文献】
【０００３】
【特許文献１】特許公開２００８ー１７４２０３号公報
【特許文献２】特許公開２００６ーー５７６１８号公報
【特許文献３】特許公開２００５ー１５３８４７号公報
【特許文献４】特許公開平９ー１８８１６３号公報
【特許文献５】国際公番号ーW０９５／３１３４９号公報
【発明の概要】
【発明が解決しようとする課題】
【０００４】
自動車の運転は、ブレーキペダルとアクセルペダルを片足で巧みに操作しなければならない、運転未熟者及び高齢者など運動性が鈍くなった者には、難しい物である、又駐車中サイドブレーキのかけ忘れで自動車が暴走などの問題点を解決する。
【課題を解決するための手段】
【０００５】
１ペダル装置は、１個のペダルでアクセルとブレーキ操作するもので、足を離し開放状態をフルブレーキとして、ペダルを踏み込んで行くとブレーキが解除されアクセル操作でエンジン又はモーターの回転数を上げて行く、アクセルの上限を一定のトルクを越えて踏み込み操作すれば又ブレーキ操作に成り、ペダル踏み込み限界でフルブレーキになる、此の自動車１ペダル装置はペダルの踏み違え、運転の容易さによる安全性の向上又サイドブレーキかけ忘れの暴走も解決するものである。
【発明の効果】
【０００６】
自動車の１ペダル装置は、ブレーキとアクセルペダルの操作違いで重大事故の防止と運転が容易になり、サイドブレーキかけ忘れの無人車暴走を無くす、効果が得られる。
【図面の簡単な説明】
【０００７】
【図１】装置概要図。
【図２】最良の形態図。
【図３】前ブレーキ・後アクセル形態図。
【図４】装置の構造例図。
【符号の説明】
【０００８】
０  ペダル開放。
１  ブレーキ機能域。
２  アクセル機能域。
３  再度ブレーキ機能域。
４  運転ペダル。
５  ブレーキペダル。
６  アクセルペダル。
７  モーター制御器。
８  モーター。
９  ブレーキシリンダー。
【発明を実施するための形態】
【実施例】
【０００９】
自動車の１ペダル装置は、自動車のブレーキペダルとアクセツペダルを一体化してペダルを１個にする、開放からペダルを踏み込んで行くとブレーキ域からアクセル域になり、さらに踏み込み一定のトルク以上越えれば再びブレーキ域になる。
【図１】
2011248657.tif 000003
【図２】
2011248657.tif 000004
【図３】
2011248657.tif 000005
【図４】
2011248657.tif 000006
(57)【要約】      （修正有）【課題】従来、巻き爪治療では爪の食い込みを解除するのに、点滴用のチューブやレントゲンフイルムを爪辺縁の食い込んだ部分に挿入し、食い込みを解除する方法がとられてきた。しかし、これらの材料は、装着が難しく、装着感も悪く、装着後の固定も困難でかつ剥がれ易い欠点を有している。【解決手段】本装具は溝付プレートを患部の爪Ａの辺縁に挿入し、その対側の辺縁に引っ掛け、プレートとフック６を糸４で緊縛し、しっかりと固定することで巻き爪、陥入爪の治療を行う。【選択図】図９
2011104231.tif 000002
【特許請求の範囲】
【請求項１】
三角形の一辺にU字型溝２を有し、その溝に対向する一頂点に引っ掛け金具３を有している三角形状のプレートと、Ｓ字型であって両端が９０度軸転しているフックで構成されることを特徴とする巻き爪装具。
【発明の詳細な説明】
【技術分野】
【０００１】
本発明は、陥入爪の治療に関するものである。
【背景技術】
【０００２】
爪の辺縁が指の軟部組織に強く食い込んでいるタイプの陥入爪では、従来は点滴用のチューブやレントゲンフイルムを爪辺縁の食い込んだ部分に挿入し、食い込みを解除する方法がとられてきた。しかし、これら従来使われてきた材料は、爪辺縁にフィットするように作られたものではないため、装着が難しく、装着感も悪く、装着後の固定も困難でかつ剥がれ易い欠点を有している。
【先行技術文献】
【特許文献】
【０００３】
【特許文献１】特開２００３−０６１９９６
【発明の概要】
【発明が解決しようとする課題】
【０００４】
特許文献１には爪の辺縁に金属を挿入し食い込みを解除する方法が提案されている。しかしながら上記特許文献の発明では、装具を固定する方法がなく、不安定である。そのため運動、歩行などではがれやすい。また本発明のような爪の湾曲を矯正する力も働かない。これら課題を解決しようとするものである。
【課題を解決するための手段】
【０００５】
本発明は、以下に述べる溝付の三角形のプレートとそれを固定するフックよりなる。このプレートは、一辺に爪を挟みいれるに適切な幅の溝を有した3角形あるいはそれに近い形をしており、ガーターと対面する1頂点近くに、糸を引っ掛ける為の穴または引っかけ金具を有している。第１段階として、溝付きプレートの溝の部分を患部の爪の辺縁に挿入し軟部組織への食い込みを解除する。第２段階としてフックを対側の辺縁に引っ掛ける。そののちプレートの引っ掛け金具と、フックを糸で緊縛する。張力をかけ緊縛することで、プレートは爪にしっかりと固定され、運動、入浴等の制限なく何週間にもわたり快適に装着できる。さらに爪の表面に牽引力が働く為、爪の湾曲を緩和する力も加えられる。
【発明の効果】
【０００６】
本発明は次の効果をもたらした。従来用いられた点滴用のチューブやレントゲンフイルムによる方法、また特許文献１の装具より、簡単に爪に挿入でき、ぴったりとフィットするため装着感もよく、固定もしっかりできる。そのため入浴、運動などに支障なく快適に通常の生活がおくれることとなった。また糸による牽引もなされるため爪の湾曲の矯正も図れるようになった。
【図面の簡単な説明】
【０００７】
【図１】本装具、溝付プレートの正面図である。
【図２】本装具、溝付プレートの側面図である。
【図３】本装具、溝付プレートの前面図である。
【図４】本装具、溝付プレートの見取り図である。
【図５】本装具、フックの正面図である。
【図６】本装具、フックの側面図である。
【図７】本装具、フックの全面図である。
【図８】本装具、フックの見取り図である。
【図９】本装具、溝付プレートとフックの爪への装着時の正面図である。
【図１０】本装具、溝付プレートとフックの爪への装着時の側面図である。
【図１１】本装具、溝付プレートとフックの爪への装着時の斜視図と一部拡大図である。
【発明を実施するための形態】
【０００８】
本装具溝付プレートは図１〜図７の右側に示す如く、一辺に爪を引っ掛けるに適切な大きさのU字型溝２を有した三角形のプレートである。三角形のプレート表面に糸を通す穴、または糸を引っ掛ける引っ掛け金具１を有している。この引っ掛け金具はさまざまな形のものが考えられるが、糸が引っ掛けられ、ストッキング等に引っかかりにくければその形はどんなものでも良い。またその取り付け位置は溝と対向する頂点付近が効率的であると思われるがプレートに牽引力がかかり、しっかり固定されればその場所はどこでも良い。図１〜図３にはその一例として針金を2点で溶接しそのたわみの間に糸を通す方法を示した。本装具フックは図１〜図７の左側の図のような形をしている。すなわちS字型のフックでフックが互いに９０度の軸転をもって付いている。使用するときは、まず本装具溝付プレートの溝２を陥入爪の患部側の爪辺縁にはめ込む。こうすることで爪に食い込んだ軟部組織は、食い込みから解除される。その後爪の対側の辺縁に本装具のフックを引っ掛ける。その後、溝付プレートに付いている引っ掛け金具とフックを糸で緊縛する。こうすることでプレートとフックはしっかりと固定され、運動、歩行によってずれることなく、数週間以上にわたり装着することができる。
【０００９】
本発明の材料は金属のチタン合金あるいはステンレスが第一選択となるが、非金属材料でも本発明の形状を構成することができ、要求される条件をクリアーする材料であればどのような材料でもよいものである。
溝付プレートは三角形を基本とするが、それに近い形でもよい。
フックの軸転の９０度は必要により増減ある事は想定されるところである。
【符号の説明】
【００１０】
１、本装具のプレートである。
２、本装具のプレートの溝である。
３、本装具のプレートの引っ掛け金具である。
４、緊縛用の糸である。
５、緊縛用の糸の結び目である。
６、本装具フックである。
A、人体の爪である。
B、人体の指の皮膚である。
【図１】
2011104231.tif 000003
【図２】
2011104231.tif 000004
【図３】
2011104231.tif 000005
【図４】
2011104231.tif 000006
【図５】
2011104231.tif 000007
【図６】
2011104231.tif 000008
【図７】
2011104231.tif 000009
【図８】
2011104231.tif 000010
【図９】
2011104231.tif 000011
【図１０】
2011104231.tif 000012
【図１１】
2011104231.tif 000013
(57)【要約】      （修正有）【課題】受け皿が必要でなく、実と液体の種分けが出来る摩り下ろし機を提供する。【解決手段】摩り下ろし機５の下に網状容器６を、網状容器６の下に受け容器１を配置することによって、網状容器６を摩り下ろし機５と受け容器１によって挟むことにより、受け皿が必要でなく、実と液体の種分けが出来る摩り下ろし機を構成する。【選択図】図１
2011104309.tif 000002
【特許請求の範囲】
【請求項１】
摩り下ろし機と受け容器の間に網状の容器を挟む事により、摩り下ろされた実と液体が分かれるしくみ。
【発明の詳細な説明】
【技術分野】
【０００１】  本発明は、実と液体の分離式擦り下ろし機に関する。【０００２】  従来の摩り下ろし機は、摩り下ろし機本体のみの物や、摩り下ろした物をすべて受ける容器付きの物がある。【０００３】  以下、従来の擦り下ろし機について説明する。【０００４】  擦り下ろし機本体のみの物は、受け皿などが必要となり、実と液体が同じ場所に共有してしまうことが問題とされる。【０００５】  擦り下ろし機受け容器付きは、実と液体が受け容器内で実と液体が共有してしまうことが問題とされる。
【発明の開示】
【発明が解決しようとする課題】
【０００６】  以上に述べた従来の摩り下ろし機では、実と液体の種分けが出来ない物や、受け皿を用意しなければならないのもであった。【０００７】  本発明は、このような問題点を解決した、実と液体を種分けることを目的とするものである。
【課題を解決するための手段】
【０００８】  摩り下ろし機と受け容器の間に、網状の容器を挟む事により網状の容器には実が残り、液体だけ下にある受け容器に溜まる。
【発明の効果】
【０００９】  上述したように本発明の摩り下ろし機は実と液体を新たに種分けをする、という手間を省くことを提供できます。
【発明の実施するための最良の形態】
【００１０】  以下、本発明の実施形態を図１に基づいて説明する。
【００１１】  図においては、３は摩り下ろし機の取っ手で４の摩り下ろし機と一体、２は網状容器の取っ手で５の網状容器と一体、１は液体受け容器の取っ手で６の液体受け容器本体と一体。４の摩り下ろし機を一番上にセットして、真ん中に５の網状容器をセット、一番下に６の液体受け容器をセットすること。
【図面の簡単な説明】
【００１２】
【図１】本発明の実施形態を示す実と液体の種分け式擦り下ろし機、受け容器付きの全部
【符号の説明】
【００１３】１  液体受け容器の取っ手、２  網状容器の取っ手、３  摩り下ろし機の取っ手、
４  摩り下ろし機、５  網状容器、６  液体受け容器、
【図１】
2011104309.tif 000003
(57)【要約】      （修正有）【課題】寝具の巾方向に切り込みをつくり、襟カバーの突起をそこに挿入して留め具で接合して襟カバーの着脱構造を提供する。その構造を対向巾側に、四方に着脱構造を展開することで寝具カバーの着脱構造をつくる。この構造を採用することで仕上がりの奇麗なベッドメーキングと作業効率の短縮を図る。【解決手段】襟カバー２の巾側の縁に複数の長凸状の突起３を有し、突起の中程に留め具の雄４を貼り付け、その反対側に指先を係止することのできるポケットをつくる。寝具１の襟カバーの巾寸法６の位置に襟カバーの突起にマッチする位置に複数の切れ目(7)をつくって挿入、抜き取りができるようにする。切れ目から挿入した突起を寝具を巻いて折り返した襟カバーのマジックテープの雌５に接合して装着する。【選択図】図１
2011104386.tif 000002
【特許請求の範囲】
【請求項１】
布団、毛布（以下、寝具）の巾方向に襟カバーの巾側の縁から長凸状の突起を挿入することのできる切れ目を設け、突起を挿入して、突起につけた留め具が寝具を巻いて折り返した襟カバーの留め具に接合してなる寝具の襟カバー着脱構造。
【請求項２】
請求項1の突起を挿入しやすいように、指先もしくは手先の差し込みを補助する引掛りを設けてなる寝具の襟カバー着脱構造。
【請求項３】
請求項1および請求項2の構造を寝具とシーツの対向巾側に設けて、寝具の片面の全部を覆うことのできる寝具カバー着脱構造。
【請求項４】
請求項3の構造を寝具とシーツの両縦側に設けて、寝具の片面の全部を覆うことのできる寝具カバー着脱構造。
【発明の詳細な説明】
【技術分野】
【０００１】
本発明は、寝具の寝具カバーに関するものである。
【背景技術】
【０００２】
従来の寝具の襟カバーは、寝具に直接縫いつけ、また、留め具を寝具とそれに対応する襟カバーにつけて接合してつくられていた。その結果として着脱に時間がかかった上に見栄えがよくない、留め具という異物がついているため、襟カバーが外された状態では肌に留め具が直接触れ、違和感があった。
【０００３】
この改善策として、寝具の襟カバーの巾寸法の位置に指先もしくは手先が挿入できる切れ目を複数ヶ所つくり、襟カバーの巾側の縁から長凸状に飛び出した複数の突起を指先で押し込むようにして寝具の裏面に寝具の縁を巻くように折り込まれている襟カバーの留め具に接合して襟カバーの構造をつくる。突起が指先に係止しやすい引掛り、例えばポケットを備えていれば簡単に押し込むことができる。寝具とシーツの対向巾側および縦方向側に同様の構造をつくることで寝具を覆ってしまうカバーをつくることができる。
【発明の開示】
【発明が解決しようとする課題】
【０００４】
この発明は、襟カバーを寝具に縫いつける場合、針縫い作業に熟練していなければ非常に時間がかかり、縫い上がりの見栄えが非常に悪い。寝具に留め具の片方を付着させることは、たまたま襟カバーが無い、襟カバーがずれて、寝具の留め具が首筋やその他の肌に触れた場合に不快感を催させることがある。
【課題を解決するための手段】
【０００５】
上記課題を解決するためには、寝具の襟カバーの巾寸法の位置に指先もしくは手先が挿入できる大きさの複数ヶ所の切れ目をつくる。一方、襟カバーの巾側の縁から長凸状に飛び出した複数の突起をつくり突起の先の下面に留め具の片面を貼り付ける。突起を指先もしくは手先で切れ目から押し込み、予め寝具の縁を巻いて折り込んでいた襟カバーに貼り付けてあるもう一方の留め具の片面と接合させ固定する。複数ヶ所つくって襟カバーのずれをなくすことができる。
【０００６】
突起をスムーズに挿入させるには、指先を係止させることのできる引掛り、例えば、ポケットや裂け目を突起の上につくることでおこなうことができる。
【０００７】
寝具の対向巾側とシーツに同様の着脱構造をつくることで寝具カバーをつくることができる。
【０００８】
寝具とシーツの両縦側に同様の着脱構造をつくることで寝具を包みこむような寝具カバーをつくることができる。
【発明を実施するための最良の形態】
【０００９】
本発明の一実施形態を図面に基づいて説明する。また、留め具をマジックテープに限定する。図1の襟カバー(2)の巾側の縁に複数の長凸状の突起(3)を有し、突起の中程にマジックテープの雄(4)を貼り付け、その反対側に指先を係止することのできるポケット(8)をつくる。寝具(1)の襟カバーの巾寸法(6)の位置に襟カバーの突起にマッチする位置に複数ヶ所の切れ目(7)をつくって挿入、抜き取りができるようにする。切り込みから挿入した突起が寝具を巻いて折り返した襟カバーのマジックテープの雌（5）に接合して装着する。切り込みを糸かがり加工することで強度を出すことができる。
【００１０】
図2は、突起を寝具の切れ目に挿入しやすいように、指先もしくは手先の差し込みの形態の構造を図示したものの一例である。
【００１１】
図3は、襟カバーを寝具に装着したところである。
【００１２】
図4は、上記構造を寝具の対向巾側につくることで、寝具の片面の全部を一枚のシートで覆うことができる。
【実施例１】
【００１３】
図1は、寝具と襟カバーの着脱構造。
【実施例２】
【００１４】
図2は、突起につくられた差し込みの構造の一例。
【実施例３】
【００１５】
図3は、襟カバーの仕上がり状態。
【実施例４】
【００１６】
図4は、寝具カバーの着脱構造。
【産業上の利用可能性】
【００１７】
ホテル、旅館業の日常業務の中で、寝具の襟カバーおよびシートの着脱作業は時間と手間を多くとる作業の一つである。従来、ベッドメーキングの出来栄えと作業効率を高めるために寝具の襟カバーやシーツのカバーは色々な構造を採用してきた。本発明の寝具の着脱構造は、より一層、見栄えを良くすると同時に作業の効率化を図り、それによって経費削減を実現する。
【図面の簡単な説明】
【００１８】
【図１】寝具と襟カバーの展開図の正面図(実施例１）
【図２】突起につくられた指先の係止部の斜視図（実施例2）
【図３】襟カバーの仕上がりの正面図（実施例3）
【図４】寝具カバーの仕上がりの正面図（実施例4）
【符号の説明】
【００１９】
1.     
寝具
2.     
襟カバー
3.     
突起
4.     
マジックテープ雄型
5.     
マジックテープ雌型
6.     
襟カバーの巾
7.     
切れ目
8.     
指先の差し込み
【図１】
2011104386.tif 000003
【図２】
2011104386.tif 000004
【図３】
2011104386.tif 000005
【図４】
2011104386.tif 000006
(57)【要約】【課題】  ベランダに設置された物干し竿に、角ハンガーを利用して洗濯物を干す場合、角ハンガーが回転して洗濯物がベランダ内側や、窓ガラスに触ってしまい汚れてしまうことが多い。本発明は、角ハンガーを物干し竿にぶら下げた時に風等の影響を受けても回転しないようにする。【解決手段】角ハンガーの一辺に物干し竿にとどく竿バサミを取り付け、物干し竿に固定できるようにして、角ハンガーの回転を防止する。【選択図】図１
2011104313.tif 000002
【特許請求の範囲】
【請求項１】
角ハンガーが回転しないために、角ハンガーの一辺に紐を介して回転防止用竿バサミを設けた、回転しない角ハンガー。
【発明の詳細な説明】
【技術分野】
【０００１】  本発明は、狭いベランダで使用する、ハンガーが回転しないように構成した回転しない角ハンガーに関するものである。
【背景技術】
【０００２】  ベランダに設置された物干し竿に、角ハンガーを利用して洗濯物を干す場合、角ハンガーが回転して洗濯物がベランダ内側や、窓ガラスに触ってしまい汚れてしまうことが多い。
【発明の概要】
【発明が解決しようとする課題】
【０００３】  角ハンガーを物干し竿にぶら下げた時に風等の影響を受けても回転しないようにする。
本発明は、以上の問題点を解決するためになされたものです。
【課題を解決するための手段】
【０００４】  上記問題点を解決するため本発明は、角ハンガーの一辺に物干し竿にとどくように紐を介して回転防止用竿バサミを取り付け、物干し竿に固定できるようにして、角ハンガーの回転を防止するように構成した回転しない角ハンガー。
【発明の効果】
【０００５】  角ハンガーの一辺に取り付けた竿バサミを物干し竿に固定することにより、角ハンガーは、風等の影響を受けても回転することがなくなり、角ハンガーの端にぶら下げた洗濯物がベランダ内側や、窓ガラスに触ってしまい汚れてしまうことが軽減される。
本発明は、特に大きな角ハンガーの利用に対し、効果を発揮する。
【図面の簡単な説明】
【０００６】
【図１】本発明の斜視図
【発明を実施するための形態】
【０００７】  以下、本発明の一実施例の形態を説明する。
角ハンガー本体（１）の一辺に回転防止用竿バサミ（２）を取付けるための紐（３）を取付け、その紐の先に回転防止用竿バサミ（２）を取付ける。
本発明は以上のような構造である。
本発明を使用するときは、角ハンガー本体（１）を角ハンガー取付け部（４）により物干し竿にぶら下げる。その後、角ハンガーの一辺に紐（３）により取り付けられた回転防止用竿バサミ（２）を紐（３）がたるまないように物干し竿に取付ける。
角ハンガー本体（１）は、角ハンガー固定部（４）と回転防止用竿バサミ（２）の２点で固定されることにより回転しなくなる。
【符号の説明】
【０００８】  （１）角ハンガー本体
（２）回転防止用竿バサミ
（３）紐
（４）角ハンガー固定部
【図１】
2011104313.tif 000003
(57)【要約】【課題】本発明は、眼科領域の眼底観察において、正立像の広角観察を可能にするレンズを提供するものである。【解決手段】複数の高屈折レンズ１、２、３、４、５を円筒状の外筒６により固定し、内部で観察光を二回交差させ、眼底の広範囲の正立像が得られるようにする。【選択図】図２
2011104315.tif 000002
【特許請求の範囲】
【請求項１】
複数のレンズを用いて観察光を二重に交差させることにより、眼底の正立像を得る広角観察レンズ。
【発明の詳細な説明】
【技術分野】
【０００１】  本発明は、複数のレンズにより観察光を二重に交差させ、眼底像を正立で得られるようにした眼底の広角観察レンズに関するものである。
【背景技術】
【０００２】  眼科領域における眼底の観察レンズについては、凸レンズにより観察光を交差させることにより、眼底の広範な領域を一望できる広角観察レンズが開発されている。
【発明の概要】
【発明が解決しようとする課題】
【０００３】  しかしながら、従来の広角観察レンズでは観察光の交差により得られる像が倒像となるため、外来の診察やレーザー時にはそれを意識する必要があり、又手術においてはインバーターなどの像を反転させるための設備を手術用顕微鏡に設置する必要があり、高価な上に操作も煩雑なものとなる。顕微鏡の種類のよっては設置できない場合も少なくない。
【課題を解決するための手段】
【０００４】  そこで、本発明にあっては、上記課題を解決するため、外筒内に複数のレンズを直列させ、観察光を二回交差させることにより、インバーターなどの設備を用いることなく正立像を得られるようにした。
【発明の効果】
【０００５】  本発明のみで正立像が得られるため、外来での眼底観察においては像の反転を意識する必要がなくなる。又、手術においてはインバーターなどの像を反転させる設備が不要であるため、手術操作が単純になり、装置の滅菌などの手間も少なくなる。又、どんな手術顕微鏡でも使用できる上、システム全体のコストも低減できる。
【図面の簡単な説明】
【０００６】
【図１】本発明の断面図である。
【図２】本発明の使用状態にて、本発明の内部および眼球内部を通過する光束の変化を示す線を加えた断面図である。
【発明を実施するための形態】
【０００７】  以下、本発明の実施の形態について図面を参照にしつつ説明する。図１は本発明の実施例であり、円筒状の外筒にレンズが複数組み込まれているため、断面図が最も適当である。５枚の高屈折ガラスレンズ（１、２、３、４、５）が、外筒（６）により固定されている。図２は実際に眼球に設置し、観察光の光束が２回交差する状態を示したものである。観察する眼球の角膜にレンズ「５」をあて、観察者はレンズ「１」（１）の側から観察する。図２では眼底のほぼ全域が一望できる設計であるが、使用するレンズの屈折率や形状および各レンズ間の距離により、観察できる眼底の範囲や拡大率は様々に異なった設計が可能である。
【符号の説明】
【０００８】１  レンズ［１］
２  レンズ［２］
３  レンズ［３］
４  レンズ［４］
５  レンズ［５］
６  外筒
７  眼球
８  観察光の光束
【図１】
2011104315.tif 000003
【図２】
2011104315.tif 000004